(57)【要約】【課題】本発明はアウトドアバックパックを開示した。【解決手段】使用する時、まずは第一外殻を開け、カーペットを取り出して伸ばし、そして、第二ファスナーを開け、布袋を開け、第一卓ボードを平らに置き、そして第二卓ボードを後ろに広げ、第一ファスナーを引き開け、布バッグ体を後ろへ開け、更に、ノブをねじり動かし、回転軸を回転させ、回転軸が第二傘歯車を回転連動させ、第二傘歯車が第一傘歯車を回転連動させ、横軸を回転させ、それにより、横軸が左側の第一傘歯車を回転連動させ、それにより左側の回転軸がネジ山柱を回転連動させ、それによりネジ山柱が上へ移動連動させ、ネジ山柱が第三卓ボードを上へ移動連動させ、そして後ろへ第四卓ボードをスライドさせ、第四卓ボードと第三卓ボードを広げ、広げた後に第四卓ボードと第三卓ボード及び第一卓ボードと第二卓ボードが一つの卓ボードに組み合わせる。【選択図】図１
2020157025.tif 000002
【特許請求の範囲】
【請求項１】
布バッグ体とプラスチックバッグ体を含み、その特徴は：前記布バッグ体は布によって製作され、前記プラスチックバッグ体は硬質プラスチックによって製作され、前記布バッグ体と前記プラスチックバッグ体の前端が第一ファスナーによって連結され、前記布バッグ体の左右両側にはいずれも布袋が設置されており、前記布袋の前側と前記布バッグ体とが第二ファスナーによって連結され、前記布袋の前側と前記布バッグ体の間にはボードチャンバが設置されており、前記ボードチャンバの底壁には第一卓ボードがヒンジで連結され、前記第一卓ボードの後端には第二卓ボードがヒンジで連結され、前記布バッグ体の中には保存チャンバが設置されており、卓前記プラスチックバッグ体の前側端面には第一外殻がヒンジで連結され、前記第一外殻の後側の前記プラスチックバッグ体の中には底部チャンバが設置されており、前記底部チャンバの中にはカーペットが設置されており、前記カーペットを前記底部チャンバの中に折畳んで保存でき、前記底部チャンバの中には卓機構が設置されており、前記卓機構は屋外で展開して机として使用されることができ、前記底部チャンバの左右の両側には扇風機機構が設置されており、前記布バッグ体の頂部には雨遮り蓋が設置されていることを特徴とするアウトドアバックパック。
【請求項２】
前記卓機構は前記底部チャンバの底壁に固定的に設置される固定支柱を含み、前記固定支柱は二組に左右に対称的に設置されており、前記固定支柱の中にはネジ山柱がネジ山によって係合連結され、前記ネジ山柱の頂端には第三卓ボードが固定的に設置されており、前記第三卓ボードの頂端には第四卓ボードがスライドできるように設置されており、前記第四卓ボードの底端にはＴ型ブロックが固定的に設置されており、前記Ｔ型ブロックが前記第三卓ボードの頂部端面にスライドできるように設置されており、前記第三卓ボードの中には左右に対称的な伝動チャンバが設置されており、二組の前記伝動チャンバの間には横軸が回転できるように設置されており、前記横軸の両端にはいずれも第一傘歯車が設置されており、前記第一傘歯車は前記伝動チャンバの中に位置し、前記伝動チャンバの中には上下に伸びている回転軸が回転できるように設置されており、前記回転軸の底部の伸びている部分と前記ネジ山柱とが固定的に連結され、前記伝動チャンバの中に位置する回転軸の外周には第二傘歯車が固定的に設置されており、前記第二傘歯車と前記第一傘歯車とが噛み合って設置されており、右側の前記回転軸の頂端が第三卓ボードの外に伸び出でおり、且つ右側に位置する前記回転軸の頂端にはノブが固定的に設置されており、第一ファスナーを引き動かすことによって、布バッグ体を後ろに開け、それによりノブをねじり動かすことによって、回転軸を回転させ、第二傘歯車を回転させ、第二傘歯車は第一傘歯車を回転連動させ、横軸を回転させ、横軸は左側の第一傘歯車を回転連動させ、それにより左側の回転軸が第三卓ボードを上へ移動連動させ、そして後ろへ第四卓ボードをスライドさせ、第四卓ボードと第三卓ボードを広げることを特徴とする請求項１に記載のアウトドアバックパック。
【請求項３】
前記扇風機機構は前記底部チャンバの左右両側に設置される放熱溝を含み、前記放熱溝の一端には第二外殻がヒンジで連結され、前記第二外殻の一端には二本の支持ボードが固定的に設置されており、前記支持ボードの一端には円柱筒が固定的に設置されており、前記円柱筒の中には円形溝が設置されており、前記円柱筒の一端にはモーターが固定的に設置されており、前記モーターの一端には動力軸が伝動できるように連結され、前記動力軸の一側の伸びている部分が前記円形溝の中に伸びており且つ前記動力軸の一側の伸びている部分の外周には扇風機が固定的に設置されており、第二外殻を開けることによって、円柱筒を放熱溝の外に伸び出させ、モーターの作業を制御することによって、動力軸を回転させ、それにより扇風機を回転連動させ、屋外にいる時、カーペットに横たわっている人に送風して放熱させることを特徴とする請求項１に記載のアウトドアバックパック。
【発明の詳細な説明】
【技術分野】
【０００１】
本発明はバッグ技術分野を取り上げて、具体的にはアウトドアバックパックである。
【背景技術】
【０００２】
市場のほとんどのバックパックは結構が簡単で、それに機能が単一で、特にアウトドアバックパックは、キャンプ時の需要に満足できなく、そのため、多機能のアウトドアバックパックを設計する必要がある。
【先行技術文献】
【特許文献】
【０００３】
【特許文献１】中国特許出願公開第１０５６８６３１４号明細書
【発明の概要】
【発明が解決しようとする課題】
【０００４】
本発明の目的はアウトドアバックパックを提供し、現有の技術の上記欠点を克服できる。
【課題を解決するための手段】
【０００５】
本発明のアウトドアバックパックは、布バッグ体とプラスチックバッグ体を含み、前記布バッグ体は布によって製作され、前記プラスチックバッグ体は硬質プラスチックによって製作され、前記布バッグ体と前記プラスチックバッグ体の前端が第一ファスナーによって連結され、前記布バッグ体の左右両側にはいずれも布袋が設置されており、前記布袋の前側と前記布バッグ体とが第二ファスナーによって連結され、前記布袋の前側と前記布バッグ体の間にはボードチャンバが設置されており、前記ボードチャンバの底壁には第一卓ボードがヒンジで連結され、前記第一卓ボードの後端には第二卓ボードがヒンジで連結され、前記布バッグ体の中には保存チャンバが設置されており、卓前記プラスチックバッグ体の前側端面には第一外殻がヒンジで連結され、前記第一外殻の後側の前記プラスチックバッグ体の中には底部チャンバが設置されており、前記底部チャンバの中にはカーペットが設置されており、前記カーペットを前記底部チャンバの中に折畳んで保存でき、前記底部チャンバの中には卓機構が設置されており、前記卓機構は屋外で展開して机として使用されることができ、前記底部チャンバの左右の両側には扇風機機構が設置されており、前記布バッグ体の頂部には雨遮り蓋が設置されている。
【０００６】
更なる技術方案、前記卓機構は前記底部チャンバの底壁に固定的に設置される固定支柱を含み、前記固定支柱は二組に左右に対称的に設置されており、前記固定支柱の中にはネジ山柱がネジ山によって係合連結され、前記ネジ山柱の頂端には第三卓ボードが固定的に設置されており、前記第三卓ボードの頂端には第四卓ボードがスライドできるように設置されており、前記第四卓ボードの底端にはＴ型ブロックが固定的に設置されており、前記Ｔ型ブロックが前記第三卓ボードの頂部端面にスライドできるように設置されており、前記第三卓ボードの中には左右に対称的な伝動チャンバが設置されており、二組の前記伝動チャンバの間には横軸が回転できるように設置されており、前記横軸の両端にはいずれも第一傘歯車が設置されており、前記第一傘歯車は前記伝動チャンバの中に位置し、前記伝動チャンバの中には上下に伸びている回転軸が回転できるように設置されており、前記回転軸の底部の伸びている部分と前記ネジ山柱とが固定的に連結され、前記伝動チャンバの中に位置する回転軸の外周には第二傘歯車が固定的に設置されており、前記第二傘歯車と前記第一傘歯車とが噛み合って設置されており、右側の前記回転軸の頂端が第三卓ボードの外に伸び出でおり、且つ右側に位置する前記回転軸の頂端にはノブが固定的に設置されており、第一ファスナーを引き動かすことによって、布バッグ体を後ろに開け、それによりノブをねじり動かすことによって、回転軸を回転させ、第二傘歯車を回転させ、第二傘歯車は第一傘歯車を回転連動させ、横軸を回転させ、横軸は左側の第一傘歯車を回転連動させ、それにより左側の回転軸が第三卓ボードを上へ移動連動させ、そして後ろへ第四卓ボードをスライドさせ、第四卓ボードと第三卓ボードを広げる。
【０００７】
更なる技術方案、前記扇風機機構は前記底部チャンバの左右両側に設置される放熱溝を含み、前記放熱溝の一端には第二外殻がヒンジで連結され、前記第二外殻の一端には二本の支持ボードが固定的に設置されており、前記支持ボードの一端には円柱筒が固定的に設置されており、前記円柱筒の中には円形溝が設置されており、前記円柱筒の一端にはモーターが固定的に設置されており、前記モーターの一端には動力軸が伝動できるように連結され、前記動力軸の一側の伸びている部分が前記円形溝の中に伸びており且つ前記動力軸の一側の伸びている部分の外周には扇風機が固定的に設置されており、第二外殻を開けることによって、円柱筒を放熱溝の外に伸び出させ、モーターの作業を制御することによって、動力軸を回転させ、それにより扇風機を回転連動させ、屋外にいる時、カーペットに横たわっている人に送風して放熱させる。
【０００８】
使用する時、まずは第一外殻を開け、カーペットを取り出して伸ばし、そして、第二ファスナーを開け、布袋を開け、第一卓ボードを平らに置き、そして第二卓ボードを後ろに広げ、第一ファスナーを引き開け、布バッグ体を後ろへ開け、更に、ノブをねじり動かし、回転軸を回転させ、回転軸が第二傘歯車を回転連動させ、第二傘歯車が第一傘歯車を回転連動させ、横軸を回転させ、それにより、横軸が左側の第一傘歯車を回転連動させ、それにより左側の回転軸がネジ山柱を回転連動させ、それによりネジ山柱が上へ移動連動させ、ネジ山柱が第三卓ボードを上へ移動連動させ、そして後ろへ第四卓ボードをスライドさせ、第四卓ボードと第三卓ボードを広げ、広げた後に第四卓ボードと第三卓ボード及び第一卓ボードと第二卓ボードが一つの卓ボードに組み合わせ、アウトドアに便利に使用され、天気が熱い時、第二外殻を開けることによって、円柱筒を放熱溝の外に伸び出し、モーターの作業に対する制御によって、動力軸を回転させ、それにより扇風機を回転連動させ、アウトドアにいる時、カーペットに横たわっている人に送風して放熱させる。
【発明の効果】
【０００９】
本発明の有益な効果は下記の通りである：
【００１０】
伝統的なアウトドアバックパックより、本発明のバックパックはカーペットがつき、カーペットを広げて伸ばすことができ、同時に本発明のバックパックは卓ボードの機能があり、屋外でキャンプする時便利にご飯などを置け、それに本発明のバックパックは扇風機機構があり、放熱でき、アウトドアキャンプする時の快適性を高める。
【図面の簡単な説明】
【００１１】
【図１】は本発明のアウトドアバックパックの外観の略図であり；
【図２】は本発明のアウトドアバックパックの内部構造模式図であり；
【図３】は本発明の第二外殻の模式図であり；
【図４】は本発明の第一卓ボードと第二卓ボードとの係合連結模式図であり；
【図５】は本発明の図２のＡの部分拡大模式図である。
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明の実施例におけるアウトドアバックパックは、布バッグ体１０とプラスチックバッグ体２０を含み、前記布バッグ体１０は布によって製作され、前記プラスチックバッグ体２０は硬質プラスチックによって製作され、前記布バッグ体１０と前記プラスチックバッグ体２０の前端が第一ファスナー１５によって連結され、前記布バッグ体１０の左右両側にはいずれも布袋２６が設置されており、前記布袋２６の前側と前記布バッグ体１０とが第二ファスナー１４によって連結され、前記布袋２６の前側と前記布バッグ体１０の間にはボードチャンバ２３が設置されており、前記ボードチャンバ２３の底壁には第一卓ボード２４がヒンジで連結され、前記第一卓ボード２４の後端には第二卓ボード２５がヒンジで連結され、前記布バッグ体１０の中には保存チャンバ２２が設置されており、卓前記プラスチックバッグ体２０の前側端面には第一外殻１７がヒンジで連結され、前記第一外殻１７の後側の前記プラスチックバッグ体２０の中には底部チャンバ２１が設置されており、前記底部チャンバ２１の中にはカーペット１６が設置されており、前記カーペット１６を前記底部チャンバ２１の中に折畳んで保存でき、前記底部チャンバ２１の中には卓機構６１が設置されており、前記卓機構６１は屋外で展開して机として使用されることができ、前記底部チャンバ２１の左右の両側には扇風機機構６２が設置されており、前記布バッグ体１０の頂部には雨遮り蓋１１が設置されている；前記第二ファスナー１４を開けることによって、前記布袋２６を開け、前記第一卓ボード２４を平らに置き、そして前記第二卓ボード２５を後ろへ展開させることができる。
【００１４】
有益なように、前記卓機構６１は前記底部チャンバ２１の底壁に固定的に設置される固定支柱３９を含み、前記固定支柱３９は二組に左右に対称的に設置されており、前記固定支柱３９の中にはネジ山柱３７がネジ山によって係合連結され、前記ネジ山柱３７の頂端には第三卓ボード２７が固定的に設置されており、前記第三卓ボード２７の頂端には第四卓ボード２９がスライドできるように設置されており、前記第四卓ボード２９の底端にはＴ型ブロック２８が固定的に設置されており、前記Ｔ型ブロック２８が前記第三卓ボード２７の頂部端面にスライドできるように設置されており、前記第三卓ボード２７の中には左右に対称的な伝動チャンバ３６が設置されており、二組の前記伝動チャンバ３６の間には横軸３３が回転できるように設置されており、前記横軸３３の両端にはいずれも第一傘歯車３４が設置されており、前記第一傘歯車３４は前記伝動チャンバ３６の中に位置し、前記伝動チャンバ３６の中には上下に伸びている回転軸３８が回転できるように設置されており、前記回転軸３８の底部の伸びている部分と前記ネジ山柱３７とが固定的に連結され、前記伝動チャンバ３６の中に位置する回転軸３８の外周には第二傘歯車３５が固定的に設置されており、前記第二傘歯車３５と前記第一傘歯車３４とが噛み合って設置されており、右側の前記回転軸３８の頂端が第三卓ボード２７の外に伸び出でおり、且つ右側に位置する前記回転軸３８の頂端にはノブ３２が固定的に設置されており、第一ファスナー１５を引き動かすことによって、布バッグ体１０を後ろに開け、それによりノブ３２をねじり動かすことによって、回転軸３８を回転させ、第二傘歯車３５を回転させ、第二傘歯車３５は第一傘歯車３４を回転連動させ、横軸３３を回転させ、横軸３３は左側の第一傘歯車３４を回転連動させ、それにより左側の回転軸３８が第三卓ボード２７を上へ移動連動させ、そして後ろへ第四卓ボード２９をスライドさせ、第四卓ボード２９と第三卓ボード２７を広げる。
【００１５】
前記扇風機機構６２は前記底部チャンバ２１の左右両側に設置される放熱溝４０を含み、前記放熱溝４０の一端には第二外殻４１がヒンジで連結され、前記第二外殻４１の一端には二本の支持ボード４２が固定的に設置されており、前記支持ボード４２の一端には円柱筒４６が固定的に設置されており、前記円柱筒４６の中には円形溝５５が設置されており、前記円柱筒４６の一端にはモーター４３が固定的に設置されており、前記モーター４３の一端には動力軸４４が伝動できるように連結され、前記動力軸４４の一側の伸びている部分が前記円形溝５５の中に伸びており且つ前記動力軸４４の一側の伸びている部分の外周には扇風機４５が固定的に設置されており、第二外殻４１を開けることによって、円柱筒４６を放熱溝４０の外に伸び出させ、モーター４３の作業を制御することによって、動力軸４４を回転させ、それにより扇風機４５を回転連動させ、屋外にいる時、カーペット１６に横たわっている人に送風して放熱させる。
【００１６】
使用する時、まずは第一外殻１７を開け、カーペット１６を取り出して伸ばし、そして、第二ファスナー１４を開け、布袋２６を開け、第一卓ボード２４を平らに置き、そして第二卓ボード２５を後ろに広げ、第一ファスナー１５を引き開け、布バッグ体１０を後ろへ開け、更に、ノブ３２をねじり動かし、回転軸３８を回転させ、回転軸３８が第二傘歯車３５を回転連動させ、第二傘歯車３５が第一傘歯車３４を回転連動させ、横軸３３を回転させ、それにより、横軸３３が左側の第一傘歯車３４を回転連動させ、それにより左側の回転軸３８がネジ山柱３７を回転連動させ、それによりネジ山柱３７が上へ移動連動させ、ネジ山柱３７が第三卓ボード２７を上へ移動連動させ、そして後ろへ第四卓ボード２９をスライドさせ、第四卓ボード２９と第三卓ボード２７を広げ、広げた後に第四卓ボード２９と第三卓ボード２７及び第一卓ボード２４と第二卓ボード２５が一つの卓ボードに組み合わせ、アウトドアに便利に使用され、天気が熱い時、第二外殻４１を開けることによって、円柱筒４６を放熱溝４０の外に伸び出し、モーター４３の作業に対する制御によって、動力軸４４を回転させ、それにより扇風機４５を回転連動させ、アウトドアにいる時、カーペット１６に横たわっている人に送風して放熱させる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157025.tif 000003
【図２】
2020157025.tif 000004
【図３】
2020157025.tif 000005
【図４】
2020157025.tif 000006
【図５】
2020157025.tif 000007
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
布バッグ体とプラスチックバッグ体を含み、その特徴は：前記布バッグ体は布によって製作され、前記プラスチックバッグ体は硬質プラスチックによって製作され、前記布バッグ体と前記プラスチックバッグ体の前端が第一ファスナーによって連結され、前記布バッグ体の左右両側にはいずれも布袋が設置されており、前記布袋の前側と前記布バッグ体とが第二ファスナーによって連結され、前記布袋の前側と前記布バッグ体の間にはボードチャンバが設置されており、前記ボードチャンバの底壁には第一卓ボードの一端がヒンジで連結され、前記第一卓ボードの他端には第二卓ボードがヒンジで連結され、前記布バッグ体の中には保存チャンバが設置されており、前記プラスチックバッグ体の前側端面には第一外殻がヒンジで連結され、前記第一外殻の後側の前記プラスチックバッグ体の中には底部チャンバが設置されており、前記底部チャンバの中にはカーペットが設置されており、前記カーペットを前記底部チャンバの中に折畳んで保存でき、前記底部チャンバの中には卓機構が設置されており、前記卓機構は屋外で展開して机として使用されることができ、前記底部チャンバの左右の両側には扇風機機構が設置されており、前記布バッグ体の頂部には雨遮り蓋が設置されていることを特徴とするアウトドアバックパック。
【請求項２】
前記卓機構は前記底部チャンバの底壁に固定的に設置される固定支柱を含み、前記固定支柱は二組に左右に対称的に設置されており、前記固定支柱の中にはネジ山柱がネジ山によって係合連結され、前記ネジ山柱の頂端には第三卓ボードが固定的に設置されており、前記第三卓ボードの頂端には第四卓ボードがスライドできるように設置されており、前記第四卓ボードの底端にはＴ型ブロックが固定的に設置されており、前記Ｔ型ブロックが前記第三卓ボードの頂部端面にスライドできるように設置されており、前記第三卓ボードの中には左右に対称的な伝動チャンバが設置されており、二組の前記伝動チャンバの間には横軸が回転できるように設置されており、前記横軸の両端にはいずれも第一傘歯車が設置されており、前記第一傘歯車は前記伝動チャンバの中に位置し、前記伝動チャンバの中には上下に伸びている回転軸が回転できるように設置されており、前記回転軸の底部の伸びている部分と前記ネジ山柱とが固定的に連結され、前記伝動チャンバの中に位置する回転軸の外周には第二傘歯車が固定的に設置されており、前記第二傘歯車と前記第一傘歯車とが噛み合って設置されており、右側の前記回転軸の頂端が第三卓ボードの外に伸び出でおり、且つ右側に位置する前記回転軸の頂端にはノブが固定的に設置されており、第一ファスナーを引き動かすことによって、布バッグ体を後ろに開け、それによりノブをねじり動かすことによって、回転軸を回転させ、第二傘歯車を回転させ、第二傘歯車は第一傘歯車を回転連動させ、横軸を回転させ、横軸は左側の第一傘歯車を回転連動させ、それにより左側の回転軸が第三卓ボードを上へ移動連動させ、そして後ろへ第四卓ボードをスライドさせ、第四卓ボードと第三卓ボードを広げることを特徴とする請求項１に記載のアウトドアバックパック。
【請求項３】
前記扇風機機構は前記底部チャンバの左右両側に設置される放熱溝を含み、前記放熱溝の一端には第二外殻がヒンジで連結され、前記第二外殻には二本の支持ボードが固定的に設置されており、前記支持ボードの一端には円柱筒が固定的に設置されており、前記円柱筒の中には円形溝が形成されており、前記円柱筒の一端にはモーターが固定的に設置されており、前記モーターの一端には動力軸が伝動できるように連結され、前記動力軸の一側の伸びている部分が前記円形溝の中に伸びており且つ前記動力軸の一側の伸びている部分の外周には扇風機が固定的に設置されており、第二外殻を開けることによって、円柱筒を放熱溝の外に伸び出させ、モーターの作業を制御することによって、動力軸を回転させ、それにより扇風機を回転連動させ、屋外にいる時、カーペットに横たわっている人に送風して放熱させることを特徴とする請求項１に記載のアウトドアバックパック。
【手続補正２】
【補正対象書類名】明細書
【補正対象項目名】全文
【補正方法】変更
【補正の内容】
【発明の詳細な説明】
【技術分野】
【０００１】
本発明はバッグ技術分野を取り上げて、具体的にはアウトドアバックパックである。
【背景技術】
【０００２】
市場のほとんどのバックパックは結構が簡単で、それに機能が単一で、特にアウトドアバックパックは、キャンプ時の需要に満足できなく、そのため、多機能のアウトドアバックパックを設計する必要がある。
【先行技術文献】
【特許文献】
【０００３】
【特許文献１】中国特許出願公開第１０５６８６３１４号明細書
【発明の概要】
【発明が解決しようとする課題】
【０００４】
本発明の目的はアウトドアバックパックを提供し、現有の技術の上記欠点を克服できる。
【課題を解決するための手段】
【０００５】
本発明のアウトドアバックパックは、布バッグ体とプラスチックバッグ体を含み、前記布バッグ体は布によって製作され、前記プラスチックバッグ体は硬質プラスチックによって製作され、前記布バッグ体と前記プラスチックバッグ体の前端が第一ファスナーによって連結され、前記布バッグ体の左右両側にはいずれも布袋が設置されており、前記布袋の前側と前記布バッグ体とが第二ファスナーによって連結され、前記布袋の前側と前記布バッグ体の間にはボードチャンバが設置されており、前記ボードチャンバの底壁には第一卓ボードの一端がヒンジで連結され、前記第一卓ボードの他端には第二卓ボードがヒンジで連結され、前記布バッグ体の中には保存チャンバが設置されており、前記プラスチックバッグ体の前側端面には第一外殻がヒンジで連結され、前記第一外殻の後側の前記プラスチックバッグ体の中には底部チャンバが設置されており、前記底部チャンバの中にはカーペットが設置されており、前記カーペットを前記底部チャンバの中に折畳んで保存でき、前記底部チャンバの中には卓機構が設置されており、前記卓機構は屋外で展開して机として使用されることができ、前記底部チャンバの左右の両側には扇風機機構が設置されており、前記布バッグ体の頂部には雨遮り蓋が設置されている。
【０００６】
更なる技術方案、前記卓機構は前記底部チャンバの底壁に固定的に設置される固定支柱を含み、前記固定支柱は二組に左右に対称的に設置されており、前記固定支柱の中にはネジ山柱がネジ山によって係合連結され、前記ネジ山柱の頂端には第三卓ボードが固定的に設置されており、前記第三卓ボードの頂端には第四卓ボードがスライドできるように設置されており、前記第四卓ボードの底端にはＴ型ブロックが固定的に設置されており、前記Ｔ型ブロックが前記第三卓ボードの頂部端面にスライドできるように設置されており、前記第三卓ボードの中には左右に対称的な伝動チャンバが設置されており、二組の前記伝動チャンバの間には横軸が回転できるように設置されており、前記横軸の両端にはいずれも第一傘歯車が設置されており、前記第一傘歯車は前記伝動チャンバの中に位置し、前記伝動チャンバの中には上下に伸びている回転軸が回転できるように設置されており、前記回転軸の底部の伸びている部分と前記ネジ山柱とが固定的に連結され、前記伝動チャンバの中に位置する回転軸の外周には第二傘歯車が固定的に設置されており、前記第二傘歯車と前記第一傘歯車とが噛み合って設置されており、右側の前記回転軸の頂端が第三卓ボードの外に伸び出でおり、且つ右側に位置する前記回転軸の頂端にはノブが固定的に設置されており、第一ファスナーを引き動かすことによって、布バッグ体を後ろに開け、それによりノブをねじり動かすことによって、回転軸を回転させ、第二傘歯車を回転させ、第二傘歯車は第一傘歯車を回転連動させ、横軸を回転させ、横軸は左側の第一傘歯車を回転連動させ、それにより左側の回転軸が第三卓ボードを上へ移動連動させ、そして後ろへ第四卓ボードをスライドさせ、第四卓ボードと第三卓ボードを広げる。
【０００７】
更なる技術方案、前記扇風機機構は前記底部チャンバの左右両側に設置される放熱溝を含み、前記放熱溝の一端には第二外殻がヒンジで連結され、前記第二外殻には二本の支持ボードが固定的に設置されており、前記支持ボードの一端には円柱筒が固定的に設置されており、前記円柱筒の中には円形溝が形成されており、前記円柱筒の一端にはモーターが固定的に設置されており、前記モーターの一端には動力軸が伝動できるように連結され、前記動力軸の一側の伸びている部分が前記円形溝の中に伸びており且つ前記動力軸の一側の伸びている部分の外周には扇風機が固定的に設置されており、第二外殻を開けることによって、円柱筒を放熱溝の外に伸び出させ、モーターの作業を制御することによって、動力軸を回転させ、それにより扇風機を回転連動させ、屋外にいる時、カーペットに横たわっている人に送風して放熱させる。
【０００８】
使用する時、まずは第一外殻を開け、カーペットを取り出して伸ばし、そして、第二ファスナーを開け、布袋を開け、第一卓ボードを平らに置き、そして第二卓ボードを後ろに広げ、第一ファスナーを引き開け、布バッグ体を後ろへ開け、更に、ノブをねじり動かし、回転軸を回転させ、回転軸が第二傘歯車を回転連動させ、第二傘歯車が第一傘歯車を回転連動させ、横軸を回転させ、それにより、横軸が左側の第一傘歯車を回転連動させ、それにより左側の回転軸がネジ山柱を回転連動させ、それによりネジ山柱が上へ移動連動させ、ネジ山柱が第三卓ボードを上へ移動連動させ、そして後ろへ第四卓ボードをスライドさせ、第四卓ボードと第三卓ボードを広げ、広げた後に第四卓ボードと第三卓ボード及び第一卓ボードと第二卓ボードが一つの卓ボードに組み合わせ、アウトドアに便利に使用され、天気が熱い時、第二外殻を開けることによって、円柱筒を放熱溝の外に伸び出し、モーターの作業に対する制御によって、動力軸を回転させ、それにより扇風機を回転連動させ、アウトドアにいる時、カーペットに横たわっている人に送風して放熱させる。
【発明の効果】
【０００９】
本発明の有益な効果は下記の通りである：
【００１０】
伝統的なアウトドアバックパックより、本発明のバックパックはカーペットがつき、カーペットを広げて伸ばすことができ、同時に本発明のバックパックは卓ボードの機能があり、屋外でキャンプする時便利にご飯などを置け、それに本発明のバックパックは扇風機機構があり、放熱でき、アウトドアキャンプする時の快適性を高める。
【図面の簡単な説明】
【００１１】
【図１】は本発明のアウトドアバックパックの外観の略図
【図２】は本発明のアウトドアバックパックの内部構造模式図
【図３】は本発明の第二外殻の模式図
【図４】は本発明の第一卓ボードと第二卓ボードとの係合連結模式図
【図５】は本発明の図２のＡの部分拡大模式図
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明の実施例におけるアウトドアバックパックは、布バッグ体１０とプラスチックバッグ体２０を含み、前記布バッグ体１０は布によって製作され、前記プラスチックバッグ体２０は硬質プラスチックによって製作され、前記布バッグ体１０と前記プラスチックバッグ体２０の前端が第一ファスナー１５によって連結され、前記布バッグ体１０の左右両側にはいずれも布袋２６が設置されており、前記布袋２６の前側と前記布バッグ体１０とが第二ファスナー１４によって連結され、前記布袋２６の前側と前記布バッグ体１０の間にはボードチャンバ２３が設置されており、前記ボードチャンバ２３の底壁には第一卓ボード２４の一端がヒンジで連結され、前記第一卓ボード２４の他端には第二卓ボード２５がヒンジで連結され、前記布バッグ体１０の中には保存チャンバ２２が設置されており、前記プラスチックバッグ体２０の前側端面には第一外殻１７がヒンジで連結され、前記第一外殻１７の後側の前記プラスチックバッグ体２０の中には底部チャンバ２１が設置されており、前記底部チャンバ２１の中にはカーペット１６が設置されており、前記カーペット１６を前記底部チャンバ２１の中に折畳んで保存でき、前記底部チャンバ２１の中には卓機構６１が設置されており、前記卓機構６１は屋外で展開して机として使用されることができ、前記底部チャンバ２１の左右の両側には扇風機機構６２が設置されており、前記布バッグ体１０の頂部には雨遮り蓋１１が設置されており、
前記第二ファスナー１４を開けることによって、前記布袋２６を開け、前記第一卓ボード２４を平らに置き、そして前記第二卓ボード２５を後ろへ展開させることができる。
【００１４】
有益なように、前記卓機構６１は前記底部チャンバ２１の底壁に固定的に設置される固定支柱３９を含み、前記固定支柱３９は二組に左右に対称的に設置されており、前記固定支柱３９の中にはネジ山柱３７がネジ山によって係合連結され、前記ネジ山柱３７の頂端には第三卓ボード２７が固定的に設置されており、前記第三卓ボード２７の頂端には第四卓ボード２９がスライドできるように設置されており、前記第四卓ボード２９の底端にはＴ型ブロック２８が固定的に設置されており、前記Ｔ型ブロック２８が前記第三卓ボード２７の頂部端面にスライドできるように設置されており、前記第三卓ボード２７の中には左右に対称的な伝動チャンバ３６が設置されており、二組の前記伝動チャンバ３６の間には横軸３３が回転できるように設置されており、前記横軸３３の両端にはいずれも第一傘歯車３４が設置されており、前記第一傘歯車３４は前記伝動チャンバ３６の中に位置し、前記伝動チャンバ３６の中には上下に伸びている回転軸３８が回転できるように設置されており、前記回転軸３８の底部の伸びている部分と前記ネジ山柱３７とが固定的に連結され、前記伝動チャンバ３６の中に位置する回転軸３８の外周には第二傘歯車３５が固定的に設置されており、前記第二傘歯車３５と前記第一傘歯車３４とが噛み合って設置されており、右側の前記回転軸３８の頂端が第三卓ボード２７の外に伸び出でおり、且つ右側に位置する前記回転軸３８の頂端にはノブ３２が固定的に設置されており、第一ファスナー１５を引き動かすことによって、布バッグ体１０を後ろに開け、それによりノブ３２をねじり動かすことによって、回転軸３８を回転させ、第二傘歯車３５を回転させ、第二傘歯車３５は第一傘歯車３４を回転連動させ、横軸３３を回転させ、横軸３３は左側の第一傘歯車３４を回転連動させ、それにより左側の回転軸３８が第三卓ボード２７を上へ移動連動させ、そして後ろへ第四卓ボード２９をスライドさせ、第四卓ボード２９と第三卓ボード２７を広げる。
【００１５】
前記扇風機機構６２は前記底部チャンバ２１の左右両側に設置される放熱溝４０を含み、前記放熱溝４０の一端には第二外殻４１がヒンジで連結され、前記第二外殻４１には二本の支持ボード４２が固定的に設置されており、前記支持ボード４２の一端には円柱筒４６が固定的に設置されており、前記円柱筒４６の中には円形溝５５が形成されており、前記円柱筒４６の一端にはモーター４３が固定的に設置されており、前記モーター４３の一端には動力軸４４が伝動できるように連結され、前記動力軸４４の一側の伸びている部分が前記円形溝５５の中に伸びており且つ前記動力軸４４の一側の伸びている部分の外周には扇風機４５が固定的に設置されており、第二外殻４１を開けることによって、円柱筒４６を放熱溝４０の外に伸び出させ、モーター４３の作業を制御することによって、動力軸４４を回転させ、それにより扇風機４５を回転連動させ、屋外にいる時、カーペット１６に横たわっている人に送風して放熱させる。
【００１６】
使用する時、まずは第一外殻１７を開け、カーペット１６を取り出して伸ばし、そして、第二ファスナー１４を開け、布袋２６を開け、第一卓ボード２４を平らに置き、そして第二卓ボード２５を後ろに広げ、第一ファスナー１５を引き開け、布バッグ体１０を後ろへ開け、更に、ノブ３２をねじり動かし、回転軸３８を回転させ、回転軸３８が第二傘歯車３５を回転連動させ、第二傘歯車３５が第一傘歯車３４を回転連動させ、横軸３３を回転させ、それにより、横軸３３が左側の第一傘歯車３４を回転連動させ、それにより左側の回転軸３８がネジ山柱３７を回転連動させ、それによりネジ山柱３７が上へ移動連動させ、ネジ山柱３７が第三卓ボード２７を上へ移動連動させ、そして後ろへ第四卓ボード２９をスライドさせ、第四卓ボード２９と第三卓ボード２７を広げ、広げた後に第四卓ボード２９と第三卓ボード２７及び第一卓ボード２４と第二卓ボード２５が一つの卓ボードに組み合わせ、アウトドアに便利に使用され、天気が熱い時、第二外殻４１を開けることによって、円柱筒４６を放熱溝４０の外に伸び出し、モーター４３の作業に対する制御によって、動力軸４４を回転させ、それにより扇風機４５を回転連動させ、アウトドアにいる時、カーペット１６に横たわっている人に送風して放熱させる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。